(57)【特許請求の範囲】
【請求項１】
水平部と立設部を有する雪止めアングルを取り付けるアングル取付部に屋根板や野地板に止着する止着部が設けられた雪止め具であって、前記アングル取付部には、前記雪止めアングルの水平部を載置する載置部と、該載置部の上方にして雪止めアングル挿入開口を有する間隙を介して対設された天部とで構成される受け部が設けられ、また、この受け部には雪止めアングルの立設部の水平部側の面に当接して該立設部を支承する立ち上がり部が設けられ、この立ち上がり部には、該立ち上がり部に沿って上下スライド移動自在のスライド体が設けられ、このスライド体は、前記立ち上がり部に対してスライド移動自在に添設された基板部と、この基板部の上部に設けられる被嵌部と、この被嵌部の先端にして前記基板部と所定間隔を置いて対設され該基板部とで雪止めアングルの立設部を挟持し該立設部を挟持した際、この立設部を基板部側に押圧付勢する挟持部とで構成され、前記被嵌部の内面部には雪止めアングルの立設部の上端部を押圧する押圧部が設けられ、前記載置部上に雪止めアングルの水平部を載置し、前記スライド体を降下せしめた際、該雪止めアングルの立設部は前記基板部と前記挟持部とで挟持され、該挟持により該雪止めアングルの立設部は基板部側に押圧されるとともに、前記押圧部により該立設部は下方に押圧されて前記載置部に押圧当接せしめられ、該立設部は前記被嵌部と前記載置部とにより上下から挟持されるように構成されていることを特徴とする雪止め具。
【請求項２】
請求項１記載の雪止め具において、被嵌部には、該被嵌部を殴打する為の殴打部が設けられていることを特徴とする雪止め具。
【請求項３】
請求項１，２いずれか１項に記載の雪止め具において、スライド体の挟持部は被嵌部の下方に連設されていることを特徴とする雪止め具。
【請求項４】
請求項１〜３いずれか１項に記載の雪止め具において、スライド体の基板部には上下方向に伸びる長孔が設けられ、立ち上がり部には前記長孔に嵌入されるガイド凸部が設けられ、この長孔とガイド凸部とによりスライド体の上下スライド移動がガイドされていることを特徴とする雪止め具。
【請求項５】
請求項１〜４いずれか１項に記載の雪止め具において、立ち上がり部の両側には、上下方向において同巾に設定されたガイド部が設けられ、基板部の左右両端部には前記ガイド部と当接摺動するガイド突片が夫々設けられていることを特徴とする雪止め具。
【請求項６】
請求項１〜５いずれか１項に記載の雪止め具において、挟持部として、板バネが採用されていることを特徴とする雪止め具。
【発明の詳細な説明】
【０００１】
【発明の属する技術分野】
本発明は、雪止め具に関するものである。
【０００２】
【従来の技術及び発明が解決しようとする課題】
水平部と立設部を有する所謂Ｌ型の雪止めアングルを取り付けるアングル取付部に屋根板や野地板に止着する止着部が設けられた雪止め具が種々提案されている。
【０００３】
ところで、雪止め具においては、雪止めアングルをアングル取付部に簡易に取り付ける構造と積雪荷重に耐え得る強度とが要求されている。例えば、従来は、前記構造として、ボルト止めする構造、ピンで打ち込み係止する構造、折り曲げ可能な板材を叩き曲げて該板材を雪止めアングルに被嵌係止させる構造等が採用されている。
【０００４】
しかし、これらの取り付け構造は、いずれも作業性が悪く、雪止めアングルの取り付け作業は厄介であった。
【０００５】
本発明は、上記問題点を解決するもので、雪止めアングルを簡単且つ強固にアングル取付部に取り付けられる実用性，作業性に秀れた雪止め具を提供するものである。
【０００６】
【課題を解決するための手段】
添付図面を参照して本発明の要旨を説明する。
【０００７】
水平部１と立設部２を有する雪止めアングル３を取り付けるアングル取付部４に屋根板や野地板に止着する止着部５が設けられた雪止め具であって、前記アングル取付部４には、前記雪止めアングル３の水平部１を載置する載置部６と、該載置部６の上方にして雪止めアングル挿入開口８を有する間隙９を介して対設された天部７とで構成される受け部10が設けられ、また、この受け部10には雪止めアングル３の立設部２の水平部１側の面に当接して該立設部２を支承する立ち上がり部11が設けられ、この立ち上がり部11には、該立ち上がり部11に沿って上下スライド移動自在のスライド体12が設けられ、このスライド体12は、前記立ち上がり部11に対してスライド移動自在に添設された基板部14と、この基板部14の上部に設けられる被嵌部15と、この被嵌部15の先端にして前記基板部14と所定間隔を置いて対設され該基板部14とで雪止めアングル３の立設部２を挟持し該立設部２を挟持した際、この立設部２を基板部14側に押圧付勢する挟持部13とで構成され、前記被嵌部15の内面部には雪止めアングル３の立設部２の上端部を押圧する押圧部21が設けられ、前記載置部６上に雪止めアングル３の水平部１を載置し、前記スライド体12を降下せしめた際、該雪止めアングル３の立設部２は前記基板部14と前記挟持部13とで挟持され、該挟持により該雪止めアングル３の立設部２は基板部14側に押圧されるとともに、前記押圧部21により該立設部２は下方に押圧されて前記載置部６に押圧当接せしめられ、該立設部２は前記被嵌部15と前記載置部６とにより上下から挟持されるように構成されていることを特徴とする雪止め具に係るものである。
【０００８】
また、請求項１記載の雪止め具において、被嵌部15には、該被嵌部15を殴打する為の殴打部22が設けられていることを特徴とする雪止め具に係るものである。
【０００９】
また、請求項１，２いずれか１項に記載の雪止め具において、スライド体12の挟持部13は被嵌部15の下方に連設されていることを特徴とする雪止め具に係るものである。
【００１０】
また、請求項１〜３いずれか１項に記載の雪止め具において、スライド体12の基板部14には上下方向に伸びる長孔16が設けられ、立ち上がり部11には前記長孔16に嵌入されるガイド凸部17が設けられ、この長孔16とガイド凸部17とによりスライド体12の上下スライド移動がガイドされていることを特徴とする雪止め具に係るものである。
【００１１】
また、請求項１〜４いずれか１項に記載の雪止め具において、立ち上がり部11の両側には、上下方向において同巾に設定されたガイド部18が設けられ、基板部14の左右両端部には前記ガイド部18と当接摺動するガイド突片19ａ・19ｂが夫々設けられていることを特徴とする雪止め具に係るものである。
【００１２】
また、請求項１〜５いずれか１項に記載の雪止め具において、挟持部13として、板バネが採用されていることを特徴とする雪止め具に係るものである。
【００１３】
【発明の作用及び効果】
雪止めアングル３の水平部１をアングル取付部４の受け部10の間隙９にアングル挿入開口８から挿入し、この雪止めアングル３の立設部２の水平部１側の面をアングル取付部４の立ち上がり部11に添設せしめた後、スライド体12をスライド降下させ、このスライド体12の挟持部13と前記立ち上がり部11とで雪止めアングル３の立設部２を挟持する。
【００１４】
従って、雪止めアングル３の水平部１は受け部10の間隙９に挿入され、立設部２はスライド体12の挟持部13と立ち上がり部11とによって挟持されることになり、水平部１と立設部２の双方がアングル取付部４に取り付けられるから、該雪止めアングル３の強固な取り付けが達成されることになる。
【００１５】
更に、この雪止めアングル３の取り付けは、雪止めアングル３の配設とスライド体12のスライド移動だけで行える為、該取り付け作業は極めて容易となる。
【００１６】
本発明は上述のように構成したから、雪止めアングルを簡単且つ強固にアングル取付部に取り付けられる実用性，作業性に秀れた雪止め具となる。
【００１７】
【発明の実施の形態】
図面は本発明の一実施例を図示したものであり、以下に説明する。
【００１８】
本実施例は、水平部１と立設部２を有する雪止めアングル３を取り付けるアングル取付部４に屋根板や野地板に止着する止着部５が設けられた雪止め具に係るものである。
【００１９】
アングル取付部４には、雪止めアングル３の水平部１を載置する載置部６と、該載置部６の上方に雪止めアングル挿入開口８を有する間隙９を介して対設された天部７とで構成される受け部10が設けられ、また、この受け部10には雪止めアングル３の立設部２の水平部１側の面に当接して該立設部２を支承する立ち上がり部11が設けられている。
【００２０】
載置部６の上面は、該載置部６上に載置された雪止めアングル３の水平部１と面当接し得るように平面に設定されている。
【００２１】
この載置部６と天部７とは、一枚の金属板材をＵ字状に湾曲せしめることで形成されている。
【００２２】
また、間隙９は雪止めアングル３の水平部２を挿入し得る十分な大きさに設定する。
【００２３】
また、間隙９のアングル挿入開口８は、該間隙９の前記止着部５側に設けられている。
【００２４】
立ち上がり部11は、天部７の先端部（雪止めアングル挿入開口８側の端部）に設けられている。
【００２５】
また、立ち上がり部11の両側には、上下方向において同巾に設定されたガイド部18が設けられている。
【００２６】
雪止めアングル３の立設部２の水平部１側の面は、この立ち上がり部11にして止着部５側に配設される。
【００２７】
尚、この立ち上がり部11も、前記金属板材を湾曲して形成されている。
【００２８】
また、立ち上がり部11にして止着部５側の面には後記スライド体12の長孔16に嵌入されるガイド凸部17が設けられている。
【００２９】
また、ガイド凸部17の先端部には、後記スライド体12の基板部14を立ち上がり部11とで挟持するスライド体挟持部20が設けられている。
【００３０】
立ち上がり部11には、該立ち上がり部11に沿って上下スライド移動自在に構成されたスライド体12が設けられている。
【００３１】
このスライド体12は、主に、立ち上がり部11に摺動自在に添設された基板部14と、この基板部14の上部に設けられた被嵌部15と、この被嵌部15の先端にして前記基板部14と所定間隔を置いて対設された挟持部13とから構成されている。
【００３２】
このスライド体12、即ち、基板部14，被嵌部15及び挟持部13は、一枚の金属板を湾曲せしめることにより形成されている。
【００３３】
基板部14は、立ち上がり部11にして挟持部13と対向する面に添設されている。即ち、前記間隙９に水平部１が挿入された雪止めアングル３の立設部２は、スライド体12の基板部14及び立ち上がり部11と挟持部13とで挟持されることになる。
【００３４】
また、スライド体12の基板部14と挟持部13との間隔は、雪止めアングル３の立設部２の厚み未満に設定されている。従って、基板部14と挟持部13の間に雪止めアングル３の立設部２を挿入すると、該立設部２が基板部14と挟持部13との間隔を押し広げることになり、この際、スライド体12が一枚の金属板から形成されているから、前記挟持部13が板バネ作用を発揮し、該挟持部13が雪止めアングル３の立設部２を基板部14側（立ち上がり部11側）へ押圧することになる。尚、基板部14と挟持部13との間隔が狭い程、前記板バネ作用は強力となる。
【００３５】
また、基板部14の左右両端部には前記立ち上がり部11のガイド部18と当接摺動するガイド突片19ａ・19ｂが夫々設けられている。
【００３６】
また、基板部14には上下方向に伸びる長孔16が設けられ、この長孔16に前記ガイド凸部17が嵌入されている。
【００３７】
即ち、本実施例のスライド体12の上下スライド移動は、前記ガイド部18と前記ガイド突片19ａ・19ｂとのガイド、及び、前記長孔16と前記ガイド凸部17とのガイドに二重のガイド機構によってガイドされることになる。
【００３８】
被嵌部15の内面部には、雪止めアングル３の立設部２の上端部を押圧する押圧部21が設けられている。
【００３９】
また、被嵌部15にして押圧部21の上方には、スライド体12を降下させる際に該スライド体12をハンマー等で殴打する為の殴打部22が設けられている。尚、本実施例は、この殴打部22として被嵌部15の一部を湾曲突出せしめ且つ上面を殴打し易いように略平面とした構造を採用しており、この殴打部22が、該殴打部22の近傍の強度を向上せしめる為の補強リブ作用を発揮するように構成している。
【００４０】
また、この殴打部22の上面は、該部位を手で押圧することでもスライド体12を降下移動させ易いように、丸みを帯びた形状に設定されている。
【００４１】
挟持部13は、被嵌部15の先端側（前記止着部５側）から垂設されている。
【００４２】
また、この挟持部13は、一旦基板部14側に近づいた後、再び該基板部14から徐々に離れて行く側面視く字状のものが採用されている。即ち、この挟持部13の最も基板部14に近づいた部分が雪止めアングル３の立設部２に当接する当接部23となり、その下部が該挟持部13と基板部14との間に雪止めアングル３の立設部２を導入し易くする導入ガイド部24となる。
【００４３】
また、挟持部13にして当接部23の近傍には、該当接部23の近傍の強度を向上せしめる為の補強リブ25が設けられている。
【００４４】
符号26は、アングル取付部４と止着部５とを連結する連結部材、27は、アングル取付部４の強度を向上せしめる為の補強リブ、28は、止着部５を野地板に止着する際に使用する連結孔である。
【００４５】
尚、図示した止着部５は、屋根板の下の野地板に止着するタイプのものであるが、例えば、屋根板に直接止着するタイプのものを採用しても良い。
【００４６】
以下、本実施例の作用について詳述する。
【００４７】
止着部５を屋根に止着する。この際、止着部５が屋根の稜線側、アングル取付部４が屋根の軒側となる。
【００４８】
続いて、アングル取付部４に雪止めアングル３を取り付けるが、この際、スライド体12は可及的に上方に位置させておく（図３参照）。
【００４９】
続いて、アングル取付部４の受け部10のアングル挿入開口８から該受け部10の間隙９に雪止めアングル３の水平部１を挿入し、且つ、この雪止めアングル３の立設部２の水平部１側の面をスライド体12の基板部14に添設せしめる。
【００５０】
続いて、スライド体12を上方から下方へ押圧することで、該スライド体12の基板部14と挟持部13の間に雪止めアングル３の立設部２を導入せしめる。
【００５１】
この際、雪止めアングル３の立設部２の厚みとスライド体12の基板部14と挟持部13の間隙との差の分、挟持部13が止着部５側に押し広げられ、この反作用により、該挟持部13が該立設部２を基板部14側に押圧する。
【００５２】
続いて、更に、スライド体12を上方から下方へ押圧することで、該スライド体12の被嵌部15に設けられた押圧部21により雪止めアングル３の立設部２の上端部を下方に押圧せしめ、該立設部２を押圧部21と前記受け部10の載置部６とで上下から挟持せしめる（図４参照）。尚、この操作により、必然的に雪止めアングル３の水平部１も下方に押圧され、載置部６に押圧当接せしめられる。
【００５３】
以上の操作により、屋根の雪止めアングル３を取り付けることができる。
【００５４】
本実施例は上述のように構成したから、雪止めアングル３の取り付けを、雪止めアングル３の配設とスライド体12のスライド移動だけで行えることになり、該雪止めアングル３の取り付け作業を極めて簡単に行える実用性，作業性に秀れた雪止め具となる。
【００５５】
また、雪止めアングル３の立設部２はスライド体12の基板部14と挟持部13とによって挟持され、且つ、水平部１はスライド体12の被嵌部15と受け部10の載置部６とによって挟持され、水平部１と立設部２の双方がアングル取付部４に取り付けられるから、それだけ該雪止めアングル３の強固な取り付けが達成される実用性，取り付け強度に秀れた雪止め具となる。
【００５６】
また、雪止めアングル３の取り付けに使用するスライド体12は上下スライド移動するものであるから、雪止めアングル３の大きさの違い、特に水平部１からの立設部２の突出量の違いに対応して該雪止めアングル３を固定することができ、それだけ汎用性にも秀れる。
【００５７】
また、挟持部13が板バネ作用を発揮するものであるから、雪止めアングル３の立設部２の厚みの違いにも対応して該雪止めアングル３を固定することができ、この点においても汎用性にも秀れる。
【００５８】
更に、屋根上に複数の雪止めアングル３を連設状態で配設する場合、隣接する雪止めアングル３の端部同志を重合し、該重合部を固定しなければならないが、本実施例は上述の通り、雪止めアングル３の立設部２の厚みの違いに対応できるから、当然ながら、前記重合部の厚みに対応して該重合部をスライド体12の基板部14と挟持部13とで挟持固定できることになり、この点においても実用性，汎用性に秀れる（図５参照）。
【００５９】
また、スライド体12のスライド移動は、基板部14に設けられた長孔16やガイド突片19ａ・19ｂ、及び、立ち上がり部11に設けられたガイド凸部17やガイド部18によってガイドされるから、該スライド移動を的確に行えることになり、この点においても確実性，作業性に秀れる。
【００６０】
また、スライド体12のスライド移動は、単に基板部14のガイド突片19ａ・19ｂと立ち上がり部11のガイド部18によるガイドだけでなく、基板部14の長孔16と立ち上がり部11のガイド凸部17によるガイドも使用しているから、この長孔16の上下間距離によってスライド体12のスライド移動が制限され、必然的に該スライド体12が立ち上がり部11から分離することが防止されることになり、この点においても該スライド移動を的確に行え、確実性，作業性に秀れる。
【図面の簡単な説明】
【図１】  本実施例の説明斜視図である。
【図２】  本実施例の雪止めアングル３の取り付け時の説明斜視図である。
【図３】  本実施例の雪止めアングル３の取り付け前の説明部分断面側面図である。
【図４】  本実施例の雪止めアングル３の取り付け後の説明部分断面側面図である。
【図５】  本実施例の二枚の重合状態の雪止めアングル３を取り付けた際の説明部分断面側面図である。
【符号の説明】
１  水平部
２  立設部
３  雪止めアングル
４  アングル取付部
５  止着部
６  載置部
７  天部
８  アングル挿入開口
９  間隙
10  受け部
11  立ち上がり部
12  スライド体
13  挟持部
14  基板部
15  被嵌部
16  長孔
17  ガイド凸部
18  ガイド部
19ａ・19ｂ  ガイド突片
21  押圧部
22  殴打部
【図１】
0003848110.tif 000002
【図２】
0003848110.tif 000003
【図３】
0003848110.tif 000004
【図４】
0003848110.tif 000005
【図５】
0003848110.tif 000006